(57)【要約】      （修正有）【課題】折り目の引き裂き強度の低下を抑え、裂けにくいポケットティッシュを提供する。【解決手段】積層された長方形のティッシュペーパーに、短手方向と平行な複数の折り部１３、１４、１５を長手方向に沿って設け、複数の折り部１３、１４、１５に沿って折り畳まれるティッシュ１０と、一面のほぼ中央部の長手方向にティッシュ取出口２１を設け、複数の折り部１３、１４、１５の方向とティッシュ取出口２１の開口方向とが平行となる状態で複数組重ねられたティッシュを収納する扁平な袋２０とを備え、ティッシュペーパーは、米坪が、１０〜３０ｇ／ｍ2であり、強度が、引出し方向に対し６０ｃＮ／２５ｍｍ以上である。【選択図】図１
2013111328.tif 000002
【特許請求の範囲】
【請求項１】
積層された長方形のティッシュペーパーに、短手方向と平行な複数の折り部を長手方向に沿って設け、前記複数の折り部に沿って折り畳まれるティッシュと、
一面のほぼ中央部の長手方向にティッシュ取出口を設け、前記複数の折り部の方向と前記ティッシュ取出口の開口方向とが平行となる状態で複数組重ねれられた前記ティッシュを収納する扁平な袋と
を備え、
前記ティッシュペーパーは、米坪が、１０〜３０ｇ／ｍ2であり、強度が、引出し方向に対し６０ｃＮ／２５ｍｍ以上である
ことを特徴とするポケットティッシュ。
【請求項２】
請求項１記載のポケットティッシュにおいて、
前記ティッシュは、前記折り部が前記ティッシュ取出口近傍でつまみ代を形成するように前記袋内に積層されている
ことを特徴とするポケットティッシュ。
【請求項３】
請求項１又は請求項２記載のポケットティッシュにおいて、
折り畳まれた前記ティッシュの前記複数の折り部により３枚以上重なる部分の合計が折り畳み寸法に対して１／２以上である
ことを特徴とする請求項１記載のポケットティシュ。
【請求項４】
請求項１乃至請求項３の何れか１項記載のポケットティッシュにおいて、
前記複数の折り部は、前記ティッシュの展開時に折り跡が復元可能な断面略円弧形状に折り成形によって形成して成る
ことを特徴とするポケットティッシュ。
【発明の詳細な説明】
【技術分野】
【０００１】
本発明は、折り畳まれて袋内に収納されたティッシュを取出口から引き出し、ティッシュを開いたり、折り畳み直したりすることなく、そのまま使用することができるポケットティッシュに関する。
【背景技術】
【０００２】
従来、ポケットティッシュは、例えば、長方形の扁平な袋内に複数枚のティッシュペーパーを折り畳んだ状態で収容し、その袋の一面に取出口となる破線切込部（ミシン目）を設け、上方のものから順に１枚ずつ取り出せるようにしたものが知られている。
しかし、このようなポケットティッシュでは、ティッシュが折り畳まれて袋内に収納されているため、ティッシュを取出口から引き出してそのまま使用することができず、折り目に沿って広げたり、あるいは折り畳み直す必要があった。
【０００３】
そこで、折り畳まれて袋内に収納されたティッシュを取出口から引き出し、ティッシュを開いたり、折り畳み直したりすることなく、そのまま使用することができるポケットティッシュが提案されている（例えば、特許文献１参照）。
特許文献１のポケットティッシュは、ティッシュの短手方向と平行な複数の折り目を長手方向に沿って設けることによって、袋から取り出してそのまま使用できるようにしてある。
【先行技術文献】
【特許文献】
【０００４】
【特許文献１】特開２０１１−２０６４２１号公報
【発明の概要】
【発明が解決しようとする課題】
【０００５】
しかし、特許文献１のポケットティッシュは、米坪が３２〜１００ｇ／ｍ2と高めの坪量であるにもかかわらず、複数の折り目を長手方向に沿って設けた後にプレスなどによって強圧して成形しているので、各折り目にひずみが残存し、他の部位に比べて引き裂き強度が低下し、各折り目に沿って裂けやすいという問題がある。
しかも、ティッシュは、折り成形の時に、原反ロールの繰り出し方向に繊維が配列しているため、繊維の向きに沿って折り目が入り、折り目が引き裂きやすい方向と合致することとなる。
従って、特許文献１のポケットティッシュでは、例えば、図１４に示すように、ティッシュ１００に設けた各折り目１０１の稜線部又は谷底部１０２が鋭角な山形又は谷形となり、ティッシュ１００の他の平滑部に比して折り目が数ｍｍ程度立っ上がった又は落ち込んだ形態を呈する。
【０００６】
これでは、使い勝手が悪いため、使用者は、袋からティッシュ１００を取り出した後に、ティッシュ１００が平らな形になるように折り目１０１を手で均すこととなる。その際、使用者は、折り目１０１に指を掛けたり、押しつぶしたり、引っ張ったりして、折り目１０１以外のティッシュ本体に比べて比較的強度が低下している折り目１０１に過度な引き裂き力を加えることとなる。
しかし、各折り目１０１の稜線部又は谷底部１０２は、ティッシュ１００他の部位に比べて引き裂き強度が低いので、折り目１０１に沿って裂けやすいという問題がある。
特に、グリセリンや保湿剤等を含浸させたローションティッシュでは、通常のポケットティッシュよりも引き裂き強度が低いため、さらに裂けやすいという問題がある。
【０００７】
本発明は斯かる従来の問題点を解決するために為されたもので、折り目の引き裂き強度の低下を抑え、裂けにくいポケットティッシュを提供することにある。
【課題を解決するための手段】
【０００８】
本発明は、斯かる目的を達成するために為されたもので、積層された長方形のティッシュペーパーに、短手方向と平行な複数の折り部を長手方向に沿って設け、複数の折り部に沿って折り畳まれるティッシュと、一面のほぼ中央部の長手方向にティッシュ取出口を設け、複数の折り部の方向とティッシュ取出口の開口方向とが平行となる状態で複数組重ねれられたティッシュを収納する扁平な袋とを備え、ティッシュペーパーは、米坪が、１０〜３０ｇ／ｍ2であり、強度が、引出し方向に対し６０ｃＮ／２５ｍｍ以上である。
【０００９】
本発明に係るポケットティッシュは、ティッシュが、折り部をティッシュ取出口近傍でつまみ代を形成するように袋内に積層されている。
また、折り畳まれたティッシュの複数の折り部により３枚以上重なる部分の合計が折り畳み寸法に対して１／２以上である。
また、複数の折り部は、ティッシュの展開時に折り跡が復元可能な断面略円弧形状に折り成形によって形成して成る。
【発明の効果】
【００１０】
本発明によれば、ティッシュペーパーの米坪が１０〜３０ｇ／ｍ2であり、強度が、引出し方向に対し６０ｃＮ／２５ｍｍ以上であるため、ティッシュを袋から出すときに従来のポケットティッシュに比して裂けにくくなった。
また、本発明によれば、ティッシュが、折り部をティッシュ取出口近傍でつまみ代を形成するように袋内に積層されているので、袋から取り出しやすくなった。
また、本発明によれば、折り畳まれたティッシュの複数の折り部により３枚以上重なる部分の合計が折り畳み寸法に対して１／２以上であるので、従来のポケットティッシュに比しコンパクトになった。
また、本発明によれば、折り部がティッシュの展開時に折り跡が復元可能な断面略円弧形状を為しているので、折り部の引き裂き強度の低下を抑えることが可能となり、裂けにくいポケットティッシュを提供することができる。
【図面の簡単な説明】
【００１１】
【図１】本発明の一実施形態に係るポケットティッシュの袋からティッシュを取り出しときの状態を示す斜視図である。
【図２】図１のポケットティッシュの斜視図である。
【図３】図１に用いられるティッシュを広げた状態を示す平面図である。
【図４】図３のティッシュに設けた折り部の拡大断面図である。
【図５】図３のティッシュを折り畳んだ状態を示す斜視図である。
【図６】図１に用いられるティッシュの折り加工の一例を示す説明図である。
【図７】図６のＡ−Ａ線に沿った断面図である。
【図８】図１に用いられるティッシュの折り加工の別の一例を示す説明図である。
【図９】図８のＢ−Ｂ線に沿った断面図である。
【図１０】図１に用いられるティッシュの折り加工の他の例を示す説明図である。
【図１１】図１に用いられるティッシュの折り加工のさらに他の例を示す説明図である。
【図１２】図１のポケットティッシュの部分断面図である。
【図１３】ティッシュの折り畳み形態の各例を示す断面図である。
【図１４】従来のポケットティッシュの折り目の拡大断面図である。
【発明を実施するための形態】
【００１２】
以下、本発明を図面に示す実施形態に基づいて説明する。
図１〜図９は、本発明の一実施形態に係るポケットティッシュ１を示す。
本実施形態に係るポケットティッシュ１は、複数の長方形のティッシュペーパー１１を積層して成るティッシュ１０と、表面のほぼ中央部の長手方向にティッシュ取出口２１を設けた直方体形状の扁平な袋２０とで構成されている。
【００１３】
ティッシュ１０は、例えば、図３に示すように、縦幅ＴＤ＝９０ｍｍ〜１８０ｍｍ、横幅ＴＷ＝１５０ｍｍ〜２４０ｍｍで、米坪が１０ｇ／ｍ2以上、好ましくは１２〜１５ｇ／ｍ2以上の長方形のティッシュペーパー１１を２枚重ね又は３枚重ね或いは３枚重ね以上とすることによって構成されている。ティッシュ１０のシートの強度は、引き出し方向に対応するＣＤＴ（乾燥横引張り強度）が６０ｃＮ／２５ｍｍ以上であることが好ましい。また、ＭＤＴ（乾燥縦引張り強度）が２００〜４００ｃＮ／２５ｍｍである。さらに、ティッシュ１０のサイズは、縦幅Ｄ＝６０ｍｍ〜９０ｍｍ、横幅Ｗ＝９０ｍｍ〜１８０ｍｍとするが、衣服のポケットへの収納に便利なように横幅Ｗ＝９０ｍｍ〜１３０ｍｍとすることが好ましい。
【００１４】
ティッシュ１０は、例えば、図１、図３、図５に示すように、積層された長方形のティッシュペーパー１１に、その短手方向（縦幅ＴＤ方向）と平行な複数の折り部１２，１３，１４，１５を長手方向（横幅ＴＷ方向）に沿って設け、複数の折り部１２，１３，１４，１５に沿って折り畳まれるように成形されている。
複数の折り部１２，１３，１４，１５は、ティッシュ１０を広げる際に折り跡が復元力によってその他の部位と同様に平坦になるように、断面略円弧形状に折り成形によって形成されてある。
また、ティッシュ１０は、折り部１２，１３，１４，１５を後述する袋２０のティッシュ取出口２１近傍でつまみ代１７を形成するように袋２０内に積層される。
また、本実施形態では、従来のポケットティッシュに比しコンパクトにするために、折り畳まれたティッシュ１０の折り部１２，１３，１４，１５により３枚以上重なる部分の合計が折り畳み寸法に対して１／２以上にしてある。
【００１５】
このような機能を有する複数の折り部１２，１３，１４，１５の成形について説明する。
本実施形態に係るポケットティッシュ１は、ティッシュペーパー１１の原反ロールからティッシュペーパー（ウェブ）を引き出して一方向に搬送しながら所定の加工を施すことによって製造することができる。例えば、機械生産流れ方向（ＭＤ方向）と直交する幅方向（ＣＤ方向）の寸法が１５０ｍｍ〜２４０ｍｍである帯状のティッシュペーパーを複数枚積層した状態でロール状に巻回してなる原反ロールを使用する。
【００１６】
本実施形態において、ティッシュ１０の短手方向と平行な複数の折り部１２，１３，１４，１５を長手方向に沿って設ける方法としては、例えば、図６〜図９に示すように、棒体又は折り板を用いるものがある。
図６、図８では、図７、図９に示すように、２つのティッシュペーパー１１を重ね合わせながら棒体３０に沿わせて折り畳むティッシュ１０の折り方の一例を示す。図６、図８では、１つ折りする場合を示す。本実施形態では、４つの折りを施すため、この機構を４つ設ける。折り跡を緩やかにするためには、棒体の形状や角度などの調整と、その後のプレスを緩和する。
【００１７】
図１０、図１１は、原反ロール３２から繰り出されるティッシュペーパー１１を折り板３１に沿わせて折り畳むティッシュ１０の折り方の別の例を示す。図９、図１１では、１つ折りする場合を示す。本実施形態では、４つの折りを施すため、この機構を４つ設ける。折り跡を緩やかにするためには、折り板の形状や角度などの調整と、その後のプレスを緩和する。
ティッシュペーパー１１は、折り成形の時に、原反ロールの繰り出し方向に繊維が配列しているため、本実施形態においても、繊維の向きに沿って折り部１２，１３，１４，１５を設けることとなり、引き裂きやすい方向となる。折り部１２，１３，１４，１５を緩やかに付けることは、特に低米坪量や強度の弱いティッシュペーパーの場合重要である。
【００１８】
袋２０は、例えば、ポリエチレンフィルム、ポリプロピレンフィルム、ポリエステルフィルム等の熱融着可能な可撓性素材で形成されている。
袋２０の表面側には、ティッシュ１０を取り出すためのティッシュ取出口２１となるミシン目２１ａが形成されている。このミシン目２１ａは、袋２０の短手方向（縦幅Ｄ方向）の中央部において長手方向（横幅Ｗ方向）に延びるように形成されており、このミシン目２１ａを開裂させることで図１に示すようにティッシュ取出口２１が形成される。
【００１９】
そして、これらのティッシュペーパー１１が、本実施形態では、その短手方向（縦幅ＴＤ方向）と平行な方向の折り部１２，１３，１４，１５を長手方向（横幅ＴＷ方向）に沿って折り畳まれており、これらの折り部１２，１３，１４，１５の方向とティッシュ取出口２１（ミシン目２１ａ）の方向とが平行となる状態で、袋２０内に収納されている。
ここでは、複数の折り部１２，１３，１４，１５のそれぞれの間隔は、ティッシュ１０の縦幅Ｄ方向の一側面から折り部１２までの間隔Ｗ１と、ティッシュ１０の縦幅Ｄ方向の他側面から折り部１５までの間隔Ｗ１とが等しく、折り部１２と折り部１３との間隔Ｗ２と、折り部１５と折り部１４との間隔Ｗ２とが等しくなるように設けられている。
【００２０】
このように、本実施形態における各ティッシュ１０は、複数の折り部１２，１３，１４，１５が左右一対になるように形成されているので、その長手方向において、両側部分をまず左右一対の折り部１３，１４でそれぞれ内側に折り、次いで折られた折り部１３，１４の端部側をさらに左右一対の折り部１２，１５でそれぞれ外側に向けて折り畳んだ状態で、袋２０内に収納されている。この場合において、左右一対の折り目１２，１５間には、図１２に示すように隙間Ｇが設けられている。この隙間Ｇは、袋２０のティッシュ取出口２１（ミシン目２１ａ）に対応位置している。隙間Ｇの寸法Ｓは、０．５〜１０ｍｍの範囲に設定されている。本実施形態では、Ｓ＝２ｍｍとされている。
【００２１】
次に、本実施形態の作用を説明する。
先ず、ポケットティッシュ１を使用するに当たっては、袋２０の表面側に形成されているミシン目２１ａを開裂させてティッシュ取出口２１とする。次いで、ティッシュ取出口２１から袋２０内に指を挿入して最上部にあるティッシュ１０の折り畳み部分で形成されるつまみ代１７を摘んで外部に引き出す。このとき、最上部に位置するティッシュ１０の左右一対の折り部１２，１５間には隙間Ｇが設けられており、この隙間Ｇが袋２０のティッシュ取出口２１（ミシン目２１ａ）の内側に対応位置しているから、この隙間Ｇを利用してティッシュ１０の折り部１２（又は１５）の近傍部分を指で容易に掴むことができる。
【００２２】
また、ティッシュペーパー１１はその短手方向（縦幅ＴＤ方向）と平行な方向の各折り部１２〜１５にのみ沿って折り畳まれており、これらの折り部１２〜１５の方向とティッシュ取出口２１の方向とが平行となる状態で袋２０内に収納されているので、最上部にあるティッシュ１０の折り畳み部分を摘んで外部に引き出すと、ティッシュ１０はその折り畳み状態が解除される方向、つまり折り部１２〜１５と直交する長手方向に引き出されることとなる。このため、ティッシュ１０はティッシュ取出口２１から袋２０外に引き出される過程で、各折り部１２〜１５の復元力で折り畳み状態が順次解除されていき、図３、図４に示すように、外部に完全に引き出されたときには既にその略全体が展開した状態（広げられた状態）となっている。
【００２３】
従って、使用者は、袋２０内に収納されているティッシュ１０をティッシュ取出口２１から外部に引き出すだけで、適度なサイズ及び形状を有するティッシュ１０を使用しやすい横長形状の状態で直ぐに使用できる。即ち、従来のポケットティッシュのように袋から取り出した折り畳み状態のティッシュを使用前に広げたり、さらに使用しやすいサイズとするために２つ折り或いは４つ折りにしたりするといった手間を省くことができる。
【００２４】
斯くして、本実施形態に係るポケットティッシュ１によれば、袋２０から取り出すだけで、すでに使用しやすい大きさと形状と方向性とを具備しているから、袋２０から取り出した長方形のティッシュ１０を使用前に広げたりさらには２つ折りや４つ折りにしたりしないでも、袋２０から取り出した状態で直ぐに使用できるだけでなく、使用しやすい横長状態のまま使用することができる。
また、本実施形態に係るポケットティッシュ１は、折り部１２，１３，１４，１５が従来のティッシュの比べて折り跡が付いても、ティッシュ１０を広げたときに、ティッシュ１０の復元力でティッシュ本体と同等程度に平らになろうとするので、従来のポケットティッシュのように折り目がティッシュ本体から飛び出したり凹んだ入りする度合いが少なくなる。そのため、使用者は、袋から取り出したティッシュ１０を軽く押し広げる程度の力を加えるだけで、折り部１２，１３，１４，１５が殆ど気にならない程度にティッシュ１０を平らにすることが可能となる。
このように、本実施形態に係るポケットティッシュ１によれば、袋２０からティッシュ１０を取り出した後に、従来のポケットティッシュのように折り部１２，１３，１４，１５が裂けやすいという不具合を解消することが可能となる。
【００２５】
図１３は、ティッシュ１０の他の折り畳み形態例を示す。
図１３（ａ）は、その長手方向の両側をまず左右の折り部４２，４３で裏表逆向きに折り、次いで表側（上部側）および裏側（下部側）にそれぞれ位置する部分を折り部４１，４４で外側に折り畳んだ構成としてある。
１３図（ｂ）は、その長手方向の両側を、その端部が対向するように左右の折り部４５，４６で表側に折り畳んだものである。
【００２６】
図１３（ｃ）は、その長手方向の両側を、左右の折り部４７，４８で一方は表側に、他方は裏側にそれぞれ折り畳んだものである。
図１３（ｄ）は、折り部４９，５０でつづら折りにして三層としたもので、下部側は中間部と完全に完全に重なり、上部側は中間部と長手方向において略半分だけ重なるようにしたものである。
図１３（ｅ）は、長手方向の一方の端部側を、当該端部が表側の略中央部に位置するように折り部５１で折り畳んだものである。
【００２７】
なお、上記実施形態では、柔らかく、手触りが良く、伸縮性があり、吸収性に優れ、しかも強度にも優れているので、ローションティシュに限らず、非ローションティッシュペーパー、トイレットペーパー、紙タオル等のいわゆる衛生用薄葉紙にも適用可能である。
また、本発明は、ローションティッシュを使用するポケットティッシュとしても良い。
【符号の説明】
【００２８】
１  ポケットティッシュ
１０  ティッシュ
１１  ティッシュペーパー
１２，１３，１４，１５  折り部
１７  つまみ代
２０  袋
２１  ティッシュ取出口
２１ａ  ミシン目
【図１】
2013111328.tif 000003
【図２】
2013111328.tif 000004
【図３】
2013111328.tif 000005
【図４】
2013111328.tif 000006
【図５】
2013111328.tif 000007
【図６】
2013111328.tif 000008
【図７】
2013111328.tif 000009
【図８】
2013111328.tif 000010
【図９】
2013111328.tif 000011
【図１０】
2013111328.tif 000012
【図１１】
2013111328.tif 000013
【図１２】
2013111328.tif 000014
【図１３】
2013111328.tif 000015
【図１４】
2013111328.tif 000016